(57)【特許請求の範囲】
【請求項１】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、
前記濾過体の他端側の排出口に設けられ、濾過された処理物の排出を抑制する背圧弁と、
前記スクリュウを駆動する駆動手段と、
前記背圧弁によって前記濾過体内の処理物に与えられる圧力を検出する圧力検出手段と、
前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、
前記スクリュウプレス式濾過装置の濾過行程を開始する場合に、前記背圧弁によって前記排出口を閉じておき、一定時間経過した後に前記排出口を開けるように前記背圧弁を制御する背圧弁制御手段と、
を有することを特徴とするスクリュウプレス式濾過装置。
【請求項２】
前記背圧弁制御手段は、前記一端側から前記処理物が前記濾過体内に供給が開始されてから一定時間経過した後に前記排出口を開けるように前記背圧弁を制御することを特徴とする請求項１に記載のスクリュウプレス式濾過装置。
【請求項３】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、
前記濾過体の他端側の排出口に設けられ、濾過された処理物の排出を抑制する背圧弁と、
前記スクリュウを駆動する駆動手段と、
前記背圧弁によって前記濾過体内の処理物に与えられる圧力を検出する圧力検出手段と、
前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、
前記濾過体内に供給される処理物の量を検出する供給量測定手段と、
前記スクリュウプレス式濾過装置の濾過行程を開始する場合に、前記背圧弁によって前記排出口を閉じておき、前記供給量測定手段の検出結果に基づいて、予め設定される一定量の処理物が供給された後に、前記排出口を開けるように前記背圧弁を制御する背圧弁制御手段と、
を有することを特徴とするスクリュウプレス式濾過装置。
【請求項４】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、
前記濾過体の他端側の排出口に設けられ、濾過された処理物の排出を抑制する背圧弁と、
前記スクリュウを駆動する駆動手段と、
前記背圧弁によって前記濾過体内の処理物に与えられる圧力を検出する圧力検出手段と、
前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、
前記圧力検出手段の検出結果が予め設定される背圧弁圧力既定値とを比較し、前記圧力検出手段の検出結果が前記背圧弁圧力既定値以上である場合に、前記排出口を開けるように前記背圧弁を制御する背圧弁制御手段と、
を有することを特徴とするスクリュウプレス式濾過装置。
【請求項５】
前記濾過行程を開始するための指示を入力する入力手段と、
前記入力手段から濾過行程の開始が指示された場合に、濾過を行うようにスクリュウプレス式濾過装置の各部を運転可能な状態にする制御を行う制御手段を有することを特徴とする請求項１から請求項４のうちいずれかに記載のスクリュウプレス式濾過装置。
【請求項６】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置の制御方法であって、
前記スクリュウプレス式濾過装置の濾過行程を開始する場合に、
前記背圧弁によって前記濾過体内の処理物に与えられる圧力を検出し、
前記圧力検出手段の検出結果と圧力基準値とを比較し、検出した圧力が前記圧力基準値に達していない場合、前記スクリュウが回転するトルクを検出するトルクセンサから出力される検出結果に基づいて、駆動手段が駆動させるスクリュウの回転数を増減させるように制御し、検出した圧力が前記圧力基準値以上である場合、前記濾過体内に供給部から供給される処理物の供給圧力を検出する供給圧力センサから出力される検出結果に基づいて、駆動手段が駆動させるスクリュウの回転数を増減させるように制御し、
前記濾過体の他端側の排出口に設けられ濾過された処理物の排出を抑制する背圧弁によって前記排出口を閉じておき、一定時間経過した後に前記排出口を開けるように前記背圧弁を制御することを特徴とするスクリュウプレス式濾過装置の制御方法。
【請求項７】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置の制御プログラムを記録したコンピュータ読み取り可能な記録媒体であって、
前記制御プログラムは、
前記スクリュウプレス式濾過装置の濾過行程を開始する場合に、
前記背圧弁によって前記濾過体内の処理物に与えられる圧力を検出するステップと、
前記圧力検出手段の検出結果と圧力基準値とを比較し、検出した圧力が前記圧力基準値に達していない場合、前記スクリュウが回転するトルクを検出するトルクセンサから出力される検出結果に基づいて、駆動手段が駆動させるスクリュウの回転数を増減させるように制御し、検出した圧力が前記圧力基準値以上である場合、前記濾過体内に供給部から供給される処理物の供給圧力を検出する供給圧力センサから出力される検出結果に基づいて、駆動手段が駆動させるスクリュウの回転数を増減させるように制御するステップと、
前記濾過体の他端側の排出口に設けられ、濾過された処理物の排出を抑制する背圧弁によって前記排出口を閉じておき、一定時間経過した後に前記排出口を開けるように前記背圧弁を制御する制御ステップ
をコンピュータに実行させるための制御プログラムを記録した記録媒体。
【発明の詳細な説明】
【０００１】
【発明の属する技術分野】
この発明は、処理物の排出開始時においても、濾過された処理物の含水率を一定にすることができるスクリュウプレス式濾過装置に関するものである。
【０００２】
【従来の技術】
従来より、含水率が高い汚泥等の処理物を供給口から円筒形の濾過体に供給し、この円筒形の濾過体の内側に設けられたスクリュウによって、処理物を排出口に搬送しつつ、該濾過体によって濾過するスクリュウプレス式濾過装置が利用されている。
この従来の技術におけるスクリュウプレス式濾過装置は、排出口に設けられた背圧弁を濾過体の中心線方向に対して平行に進退せしめることによって、排出口の開度が調節され、排出口から排出される処理物の量が調節されていた。
【０００３】
【発明が解決しようとする課題】
しかしながら、上述した従来技術におけるスクリュウプレス式濾過装置は、濾過行程が開始されると、濾過体内の処理物の濾過状態に関わらず、背圧弁によって排出口を開き、処理物を排出する制御が行われていた。従って、濾過行程開始直後において、濾過が十分になされていない状態（含水率が高い状態）の処理物が排出口から排出される場合があるという問題点があった。
【０００４】
本発明はこのような事情に鑑みてなされたもので、その目的は、起動時においても濾過された処理物の含水率を一定にすることができるスクリュウプレス式濾過装置を提供することにある。
【０００５】
【課題を解決するための手段】
上記目的を達成する為に、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、前記濾過体の他端側の排出口に設けられ、濾過された処理物の排出を抑制する背圧弁と、前記スクリュウを駆動する駆動手段と、前記背圧弁によって前記濾過体内の処理物に与えられる圧力を検出する圧力検出手段と、前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、前記スクリュウプレス式濾過装置の濾過行程を開始する場合に、前記背圧弁によって前記排出口を閉じておき、一定時間経過した後に前記排出口を開けるように前記背圧弁を制御する背圧弁制御手段と、を有することを特徴とする。
また、本発明は、上述のスクリュウプレス式濾過装置において、前記背圧弁制御手段は、前記一端側から前記処理物が前記濾過体内に供給が開始されてから一定時間経過した後に前記排出口を開けるように前記背圧弁を制御することを特徴とする。
【０００６】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、前記濾過体の他端側の排出口に設けられ、濾過された処理物の排出を抑制する背圧弁と、前記スクリュウを駆動する駆動手段と、前記背圧弁によって前記濾過体内の処理物に与えられる圧力を検出する圧力検出手段と、前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、前記濾過体内に供給される処理物の量を検出する供給量測定手段と、前記スクリュウプレス式濾過装置の濾過行程を開始する場合に、前記背圧弁によって前記排出口を閉じておき、前記供給量測定手段の検出結果に基づいて、予め設定される一定量の処理物が供給された後に、前記排出口を開けるように前記背圧弁を制御する背圧弁制御手段と、を有することを特徴とする。
【０００７】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、前記濾過体の他端側の排出口に設けられ、濾過された処理物の排出を抑制する背圧弁と、前記スクリュウを駆動する駆動手段と、前記背圧弁によって前記濾過体内の処理物に与えられる圧力を検出する圧力検出手段と、前記圧力検出手段の検出結果と圧力基準値とを比較し、前記圧力検出手段が検出した圧力が前記圧力基準値に達していない場合、前記スクリュウが回転するトルクを検出するトルクセンサから出力される検出結果に基づいて、前記駆動手段が駆動させるスクリュウの回転数を増減させるように制御し、前記圧力検出手段が検出した圧力が前記圧力基準値以上である場合、前記濾過体内に供給部から供給される処理物の供給圧力を検出する供給圧力センサから出力される検出結果に基づいて、前記駆動手段が駆動させるスクリュウの回転数を増減させるように制御する制御手段と、前記圧力検出手段の検出結果が予め設定される背圧弁圧力既定値とを比較し、前記圧力検出手段の検出結果が前記背圧弁圧力既定値以上である場合に、前記排出口を開けるように前記背圧弁を制御する背圧弁制御手段と、を有することを特徴とする。
【０００８】
また、本発明は、上述のスクリュウプレス式濾過装置において、前記濾過行程を開始するための指示を入力する入力手段と、前記入力手段から濾過行程の開始が指示された場合に、濾過を行うようにスクリュウプレス式濾過装置の各部を運転可能な状態にする制御を行う制御手段を有することを特徴とする。
【０００９】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置の制御方法であって、前記スクリュウプレス式濾過装置の濾過行程を開始する場合に、前記背圧弁によって前記濾過体内の処理物に与えられる圧力を検出し、前記圧力検出手段の検出結果と圧力基準値とを比較し、検出した圧力が前記圧力基準値に達していない場合、前記スクリュウが回転するトルクを検出するトルクセンサから出力される検出結果に基づいて、駆動手段が駆動させるスクリュウの回転数を増減させるように制御し、検出した圧力が前記圧力基準値以上である場合、前記濾過体内に供給部から供給される処理物の供給圧力を検出する供給圧力センサから出力される検出結果に基づいて、駆動手段が駆動させるスクリュウの回転数を増減させるように制御し、前記濾過体の他端側の排出口に設けられ濾過された処理物の排出を抑制する背圧弁によって前記排出口を閉じておき、一定時間経過した後に前記排出口を開けるように前記背圧弁を制御することを特徴とする。
【００１０】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置の制御プログラムを記録したコンピュータ読み取り可能な記録媒体であって、前記制御プログラムは、前記スクリュウプレス式濾過装置の濾過行程を開始する場合に、前記背圧弁によって前記濾過体内の処理物に与えられる圧力を検出するステップと、前記圧力検出手段の検出結果と圧力基準値とを比較し、検出した圧力が前記圧力基準値に達していない場合、前記スクリュウが回転するトルクを検出するトルクセンサから出力される検出結果に基づいて、駆動手段が駆動させるスクリュウの回転数を増減させるように制御し、検出した圧力が前記圧力基準値以上である場合、前記濾過体内に供給部から供給される処理物の供給圧力を検出する供給圧力センサから出力される検出結果に基づいて、駆動手段が駆動させるスクリュウの回転数を増減させるように制御するステップと、前記濾過体の他端側の排出口に設けられ、濾過された処理物の排出を抑制する背圧弁によって前記排出口を閉じておき、一定時間経過した後に前記排出口を開けるように前記背圧弁を制御する制御ステップをコンピュータに実行させるための制御プログラムを記録したことを特徴とする。
【００１１】
【発明の実施の形態】
以下、本発明の一実施形態によるスクリュウプレス式濾過装置を図面を参照して説明する。図１は、この発明の一実施形態によるスクリュウプレス式濾過装置の構成を示す概略ブロック図である。
この図において、スクリュウ４は、軸線Ｏを中心としてスクリュウシャフト４Ａの外周にスクリュウ羽根４Ｂが螺旋状に形成され、軸受５、５に回転可能に支持されている。このスクリュウ４の他端側の軸受５に支持されたスクリュウシャフト４Ａの端部には、スクリュウ４を回転させる駆動部５０が設けられる。
【００１２】
この駆動部５０がスクリュウシャフト４Ａに連結されることにより、スクリュウ４は、軸線Ｏ周りに回転可能とされ、その一端側から供給された処理物を他端側に搬送する。この駆動部５０は、例えば、モータである。
【００１３】
スクリュウ４のスクリュウ羽根４Ｂのねじれ角および外径はともに一定とされる一方、スクリュウシャフト４Ａの外周は、スクリュウ羽根４Ｂが設けられた部分において、一端側から位置Ｒの範囲では一定の外径とされ、位置Ｒから濾過体１０の他端側に向かう方向に漸次拡径するようになされている。これにより、スクリュウシャフト４Ａの外周と軸線Ｏ方向に隣接するスクリュウ羽根４Ｂ同士との間の空間が、一端側よりも他端側の方が小さくなるようにされている。なお、このように、スクリュウシャフト４Ａの外径を他端側で大きくなるように変化させる代わりに、スクリュウシャフト４Ａの外径は一定としてスクリュウ羽根４Ｂのピッチを他端側に向かうにつれて小さくすることにより上記空間を小さくしてもよい。あるいは、これらを併せて、他端側でスクリュウシャフト４Ａの外径を大きくするとともにスクリュウ羽根４Ｂのピッチを小さくすることにより、上記空間を他端側で小さくするようにしてもよい。
【００１４】
濾過体１０は、概略円筒状をなしており、上述したスクリュウ４が、この濾過体１０の内周に挿入されている。これにより、処理物がスクリュウ４によって一端側から他端側に搬送される間に、この濾過体１０によって脱水されて濾過される。また、この濾過体１０の一端側には、処理物を供給する供給部１３が設けられる。この濾過体１０の他端側の排出口９は、濾過された処理物をケーキとして排出する。
【００１５】
背圧弁２１は、排出口９に設けられ、ケーキの排出を抑制する。この背圧弁２１は、円環状であり、軸線Ｏ方向に進退可能に外嵌されている。また、この背圧弁２１は、スクリュウ４が挿通されるとともに、ケーキを排出するために他端側の端部８に形成された排出口９の内径よりも大きな外径を有し、かつその円環状をなす先端面が外周側に向かうに従いスクリュウ４の他端側に向かうように傾斜したテーパ面状に形成されている。
【００１６】
また、この背圧弁２１の他端側には、端部に取り付けられたエアシリンダ２２のピストンロッド２２Ａが連結されていて、このピストンロッド２２Ａが軸線Ｏに平行に一端側に向けて出没して背圧弁２１を進退せしめることにより、この背圧弁２１と端部８との間隔を適当に設定して、排出口９からのケーキの排出量を調整することが可能となる。ここでは、この背圧弁２１によって濾過体１０内の処理物に与えられる圧力を背圧弁の圧力というものとし、濾過体１０内の処理物が受ける圧力を背圧というものとする。
【００１７】
エアシリンダ２２は、空気圧縮機２３から供給される圧縮空気を内部に取り込み、ピストンロッド２２Ａによって背圧弁２１に処理物の排出を抑制する圧力（背圧弁の圧力）を発生させる。このエアシリンダ２２を加圧手段として用いることにより、制御を容易に行うことができる。
シリンダ制御部２４は、制御部４０の背圧弁制御部４１からの制御信号に基づいて、空気圧縮機２３から送出される圧縮空気をエアシリンダ２２内に送り込み、エアシリンダ２２が発生する圧力を制御する。
【００１８】
入力部６２は、作業員から入力される指示に基づいて、制御部４０に濾過行程の開始を指示する。ここで、濾過行程とは、処理物を濾過体１０内において濾過する行程のことをいうものとする。
【００１９】
圧力検出部２５は、背圧弁２１が発生させる背圧弁の圧力を検出し、検出結果を背圧検出値Ｐとして制御部４０に出力する。ここでは、背圧弁２１によって濾過体１０内の処理物に与えられる圧力と濾過体１０内の処理物が受ける圧力がほぼ同一であるものとして、背圧弁２１が発生させる背圧弁の圧力を背圧検出値Ｐとして制御部４０に出力する。
開度検出部２６は、濾過体１０の端部８Ａと背圧弁２１との距離を検出し、この検出結果に基づいて、排出口９と背圧弁２１との開度を検出し、検出結果を背圧弁開度ｌとして制御部４０に出力する。
【００２０】
制御部４０は、入力部６２から濾過行程の開始が指示されると、スクリュウプレス式濾過装置の連動起動制御を行う。この連動起動制御とは、濾過行程を開始する場合に、処理物を濾過するために装置各部を運転可能な状態にするための制御のことをいう。また、制御部４０は、背圧弁制御部４１と駆動制御部４２とを有する。
【００２１】
制御部４０は、タイマ４０ａ、タイマ４０ｂ、タイマ４０ｃを有しており、タイマ４０ａには、入力部６２から濾過行程の開始が指示されてから凝集混和漕６４の攪拌機６３を駆動させるまでの時間が予め設定されている。
このタイマ４０ａのカウントアウトまでの時間は、例えば、汚泥供給ポンプ６０と薬品注入ポンプ６１とによって供給される処理物と薬品が凝集混和漕６４に一定量以上供給される時間に基づいて設定される。
タイマ４０ｂには、入力部６２から濾過行程の開始が指示されてから、背圧弁２１の制御である背圧制御を開始するまでの時間が予め設定される。
このタイマ４０ｂのカウントアウトまでの時間は、例えば、入力部６２から濾過行程開始の指示が入力されてからスクリュウ４の回転によって搬送された処理物が排出口９付近に十分に蓄積するまでの時間に基づいて設定される。
タイマ４０ｃのカウントアウトまでの時間は、例えば、凝集混和漕６４内の処理物および薬品が濾過体１０内に供給開始されてから処理物の濾過が、安定して行われるまでの時間が予め設定される。
【００２２】
また、制御部４０は、圧力基準値Ｐ０を予め記憶しており、この圧力基準値Ｐ０と圧力検出部２５から出力される背圧検出値Ｐとを比較し、背圧検出値Ｐが圧力基準値Ｐ０に達していない場合、トルクセンサ３１から出力される検出結果に基づいて、スクリュウ４の回転数を増減させるように駆動制御部４２によって駆動部５０を制御する。一方、背圧検出値Ｐが圧力基準値Ｐ０以上である場合、供給圧力センサ３０から出力される検出結果に基づいて、スクリュウ４の回転数を増減させるように駆動制御部４２によって駆動部５０を制御する。
【００２３】
また、制御部４０は、開度検出部２６の検出結果に基づいて、開度に応じた圧力をエアシリンダ２２から背圧弁２１に与えるように背圧弁制御部４１によってシリンダ制御部２４を制御する。
背圧弁制御部４１は、制御部４０からの指示に基づき、濾過行程を開始する場合に、背圧弁２１によって排出口９を閉じておき、一定時間経過した後に排出口９を開けるようにシリンダ制御部２４に制御信号を出力する。
駆動制御部４２は、制御部４０からの指示に基づいて、駆動部５０によって回転されるスクリュウ４の回転数を制御する。
【００２４】
攪拌機６３は、制御部４０からの指示に基づいて回転駆動し、薬品注入ポンプ６１と汚泥供給ポンプ６０とによって凝集混和漕６４に供給される汚泥処理用の薬品と汚泥とを攪拌する。汚泥供給ポンプ６０は、制御部４０からの指示に基づいて駆動し、処理物を凝集混和漕６４に供給する。この処理物は、汚泥以外の品種でもよい。薬品注入ポンプ６１は、制御部４０からの指示に基づいて駆動し、処理物に添加する各種薬品を凝集混和漕６４に供給する。凝集混和漕６４に蓄積された処理物は、制御部４０の指示に応じてバルブ６５が開いている場合、供給部１３を介して濾過体１０内に供給される。
【００２５】
供給圧力センサ３０は、供給部１３から濾過体１０内に供給される処理物の供給圧力を検出し、検出結果を制御部４０に出力する。
トルクセンサ３１は、スクリュウ４が回転するトルクを検出し、検出結果を制御部４０に出力する。
【００２６】
次に、図１の構成におけるスクリュウプレス式濾過装置の動作について図２のフローチャートを用いて説明する。
まず、作業員によって、入力部６２が押下されると、スクリュウプレス式濾過装置に電源が投入され、濾過行程の開始が指示され（ステップＳ１）。制御部４０は、このとき、非常停止が指示されていなく、装置各部およびシーケンサが正常であり、背圧弁２１が全閉状態であるか否かをチェックし、各部が正常である場合、連動起動制御を開始し、汚泥供給ポンプ６０と薬品注入ポンプ６１と空気圧縮機２３とを運転させ、タイマ４０ａとタイマ４０ｂのカウントを開始する制御を行う（ステップＳ２）。汚泥供給ポンプ６０と薬品注入ポンプ６１は、制御部４０からの指示に基づいて、それぞれ、汚泥、薬品を凝集混和漕６４に供給する。空気圧縮機２３は、制御部４０からの指示に基づいて、駆動を開始し、圧縮空気を生成する。
【００２７】
次に、制御部４０は、一定時間経過した後すなわち、タイマ４０ａのカウント値が予め設定された時間に到達すると（ステップＳ３）、凝集混和漕６４の攪拌機６３の運転を開始し（ステップＳ４）、バルブ６５を開いて凝集混和漕６４内に蓄積されている攪拌された処理物と薬品（以下、単に「処理物」と称す）を供給部１３から濾過体１０内に供給する制御を行うとともに、タイマ４０ｃのカウントを開始する。処理物が濾過体１０内に供給されると、制御部４０は、スクリュウ４を回転させるように駆動制御部４２によって駆動部５０を制御する（ステップＳ５）。
【００２８】
スクリュウ４の回転が開始されると、制御部４０は、圧力基準値Ｐ０と圧力検出部２５から出力される背圧検出値Ｐとを比較する（ステップＳ６）。ここでは、濾過体１０内に供給された処理物の量が少ないので、比較結果が背圧検出値Ｐが圧力基準値Ｐ０に達していないことが指示される。従って制御部４０は、トルクセンサ３１から出力される検出結果に基づいて、スクリュウ４の回転数を増減させるように駆動制御部４２によって駆動部５０を制御する（ステップＳ７）。そして、タイマ４０ｃのカウント値が予め設定された時間に達していない場合（ステップＳ９）、ステップＳ６に戻り、圧力基準値Ｐ０と圧力検出部２５から出力される背圧検出値Ｐとを比較する。この比較結果において、背圧検出値Ｐが圧力基準値Ｐ０以上である場合、制御部４０は、供給圧力センサ３０から出力される検出結果に基づいて、スクリュウ４の回転数を増減させるように駆動制御部４２によって駆動部５０を制御する（ステップＳ８）。
【００２９】
一方、タイマ４０ｂは、予め設定された時間に達するまでカウントを行う（ステップＳ１０）。そして、濾過体１０内に供給された処理物がスクリュウ４の回転によって搬送され、排出口９付近に十分蓄積し、濾過がなされると、タイマ４０ｂのカウント値が予め設定された時間に達する。タイマ４０ｂのカウント値が予め設定された時間に達すると、制御部４０は、背圧制御を開始する（ステップＳ１１）。すなわち、制御部４０は、開度検出部２６の検出結果に基づいて、開度に応じた圧力をエアシリンダ２２から背圧弁２１に与えるように背圧弁制御部４１によってシリンダ制御部２４を制御する。ここでは、シリンダ制御部２４が、全閉状態となっていた背圧弁２１を制御部４０の背圧弁制御部４１からの指示に応じた開度になるように制御する。
【００３０】
そして、制御部４０は、背圧制御がなされ、タイマ４０ｃのカウント値が予め設定された時間に達すると、連動起動制御を完了し（ステップＳ１２）、濾過行程の制御を行う。
【００３１】
以上説明した実施形態によれば、タイマ４０ａに設定された時間が経過した後に攪拌機６３を駆動するようにしたので、凝集混和漕６４内に一定量以上の処理物と薬品とが供給されてから攪拌機６３を駆動させるようにすることができ、これにより、攪拌機６３が無負荷状態で駆動して破損してしまうことを防ぐことができる。
【００３２】
次に、第２の実施形態について説明する。上述した実施形態においては、濾過行程が開始されてから一定時間が経過したことを、タイマ４０ｂのカウント値が設定値に達することによって把握する場合について説明したが、この実施形態においては、タイマ４０ｂを設ける代わりに、供給量センサ３５を設ける場合について説明する。
供給量センサ３５は、図３に示すように、供給部１３に設けられ、供給部１３から濾過体１０内に供給される処理物の量を検出し、検出結果を制御部４０に出力する。なお、この実施形態において、供給量センサ３５が設けられる以外の構成は、第１の実施形態と同様であるので、その説明を省略する。
【００３３】
次に、第２の実施形態の動作について、第１の実施形態と異なる部分について説明する。入力部６２から濾過行程の開始が指示され、凝集混和漕６４から濾過体１０内に処理物が供給されると、供給量センサ３５は、供給部１３から濾過体１０内に供給される処理物の量を検出し、検出結果を制御部４０に出力する。制御部４０は、供給量センサ３５からの検出結果に基づいて、凝集混和漕６４から濾過体１０内に供給される処理物の量が予め記憶された供給量設定値に達すると、背圧制御を開始する。
【００３４】
次に、第３の実施形態について説明する。上述した第１の実施形態においては、タイマ４０ｂを設け、タイマ４０ｂのカウント値が設定値に達した場合に排出口９を開けるように背圧制御を開始する場合について説明したが、この実施形態においては、タイマ４０ｂを設ける代わりに、圧力検出部２５からの検出結果に基づいて、背圧制御を開始する場合について説明する。
この実施形態における構成において、制御部４０に背圧弁圧力規定値Ｐ１が予め記憶されている以外は、図１と同様である。以下、制御方法が第１の実施形態と異なる点について説明する。
【００３５】
まず、入力部６２から濾過行程の開始が指示されると、凝集混和漕６４から濾過体１０内に処理物が供給された後、スクリュウ４の回転によって排出口９付近に処理物が搬送され、蓄積する。圧力検出部２５は、背圧弁２１の圧力を検出し、検出結果を制御部４０に出力する。ここでは、排出口９付近に蓄積された処理物にかかる背圧が検出される。制御部４０は、背圧弁圧力規定値Ｐ１と圧力検出部２５からの検出結果の値とを比較し、圧力検出部２５からの検出結果の値が背圧弁圧力規定値Ｐ１に達した場合に、背圧制御を開始する。
この実施形態によれば、排出口９付近に蓄積した処理物にかかる圧力が背圧弁圧力規定値Ｐ１に達した場合に排出口９を開くようにしたので、濾過体１０内の処理物の濾過を行い、含水率を低減させた後に排出口９から排出することができる。
【００３６】
以上説明した、第２実施形態、第３実施形態のように、タイマ４０ｂを設ける以外に、規定量の処理物が濾過体１０内に供給されてから背圧制御を開始する、あるいは、濾過行程が開始された後、背圧弁２１の圧力が所定の圧力に達した場合に背圧制御を行うように制御することによって、濾過行程が開始されてから一定時間が経過したことを把握するようにしてもよい。
【００３７】
また、図１における制御部４０の機能を実現するためのプログラムをコンピュータ読み取り可能な記録媒体に記録して、この記録媒体に記録されたプログラムをコンピュータシステムに読み込ませ、実行することにより連動起動制御を行ってもよい。なお、ここでいう「コンピュータシステム」とは、ＯＳや周辺機器等のハードウェアを含むものとする。
【００３８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３９】
以上、この発明の実施形態を図面を参照して詳述してきたが、具体的な構成はこの実施形態に限られるものではなく、この発明の要旨を逸脱しない範囲の設計等も含まれる。
【００４０】
【発明の効果】
以上説明したように、この発明によれば、スクリュウプレス式濾過装置の濾過行程を開始する場合に、背圧弁によって排出口を閉じておき、一定時間経過した後に排出口を開けるように背圧弁を制御するようにしたので、濾過体内の処理物の含水率を低減させた後に排出口から排出することができ、これにより、起動時においても濾過された処理物の含水率を一定にすることができる。
【００４１】
また、この発明によれば、濾過行程を開始するための指示を入力する入力手段を設け、入力手段から濾過行程の開始が指示された場合に、濾過を行うようにスクリュウプレス式濾過装置の各部を運転可能な状態にする制御を行うようにしたので、作業員の操作を複雑にすることなく、起動時においても濾過された処理物の含水率を一定にすることができる。
【図面の簡単な説明】
【図１】  この発明の一実施形態によるスクリュウプレス式濾過装置の構成を示す概略ブロック図である。
【図２】  図１の構成におけるスクリュウプレス式濾過装置の動作について説明するためのフローチャートである。
【図３】  第２の実施形態におけるスクリュウプレス式濾過装置の構成を示す概略ブロック図である。
【符号の説明】
４  スクリュウ                          ９  排出口
１０  濾過体                            ２１  背圧弁
２２  エアシリンダ                      ２４  シリンダ制御部
２５  圧力検出部                        ２６  開度検出部
３０  供給圧力センサ                    ３５  供給量センサ
４０ａ、４０ｂ、４０ｃ  タイマ          ４０  制御部
４１  背圧弁制御部                      ４２  駆動制御部
５０  駆動部
【図１】
0003704050.tif 000002
【図２】
0003704050.tif 000003
【図３】
0003704050.tif 000004